(57)【要約】【課題】無線制御装置に輻輳状態が発生した場合であっても、可能な限り多くの移動端末を収容して基本通信サービスを提供することができる、移動体無線通信システム、無線制御装置、および移動端末を提供する。【解決手段】無線制御装置が、  無線制御装置の輻輳状態および輻輳状態の程度を検出する検出手段と、  検出手段によって輻輳状態が検出されたとき、輻輳状態の程度に応じて、移動端末へ提供される特別通信サービスの少なくとも一部を一時的に停止する、または移動端末へ提供される特別通信サービスの少なくとも一部の品質を低下させる特別通信サービスの変更手段とを備えることを特徴とする。【選択図】図４
2008028431.tif 000002
【特許請求の範囲】
【請求項１】
輻輳状態時の無線制御装置（３１、３２）の負荷を軽減する移動体無線通信システムであって、前記移動体無線通信システムが、
基本通信サービスと基本通信サービス以外の特別通信サービスとを含む通信サービスが提供される移動端末（１１〜１５）と、移動端末（１１〜１５）と無線通信を行う基地局（２１〜２４）と、基地局（２１〜２４）を介して移動端末（１１〜１５）に提供される通信サービスのための無線リソースを管理し且つ基地局（２１〜２４）を制御する無線制御装置（３１、３２）と、無線制御装置（３１、３２）間に接続される交換機ネットワークであるコアネットワーク（４１）とを備え、
前記無線制御装置（３１、３２）が、
無線制御装置（３１、３２）の輻輳状態および輻輳状態の程度を検出する検出手段（３１０）と、
検出手段（３１０）によって輻輳状態が検出されたとき、輻輳状態の程度に応じて、移動端末（１１〜１５）へ提供される特別通信サービスの少なくとも一部を一時的に停止する、または移動端末（１１〜１５）へ提供される特別通信サービスの少なくとも一部の品質を低下させる特別通信サービスの変更手段（３２０）とを備えることを特徴とする移動体無線通信システム。
【請求項２】
無線制御装置（３１、３２）が、特別通信サービスの変更通知手段（３３０）をさらに備え、該特別通信サービスの変更通知手段（３３０）は、特別通信サービスの変更手段（３２０）によって、移動端末（１１〜１５）へ提供される特別通信サービスの少なくとも一部が一時的に停止されていること、または移動端末（１１〜１５）へ提供される特別通信サービスの少なくとも一部の品質が低下されていることを、基地局（２１〜２４）を介して移動端末（１１〜１５）へ通知することを特徴とする請求項１に記載の移動体無線通信システム。
【請求項３】
輻輳状態時の無線制御装置（３１、３２）の負荷を軽減する移動体無線通信システムであって、前記移動体無線通信システムが、
基本通信サービスと基本通信サービス以外の特別通信サービスとを含む通信サービスが提供される移動端末（１１〜１５）と、移動端末（１１〜１５）と無線通信を行う基地局（２１〜２４）と、基地局（２１〜２４）を介して移動端末（１１〜１５）に提供される通信サービスのための無線リソースを管理し且つ基地局（２１〜２４）を制御する無線制御装置（３１、３２）と、無線制御装置（３１、３２）間に接続される交換機ネットワークであるコアネットワーク（４１）とを備え、
前記無線制御装置（３１、３２）が、
無線制御装置（３１、３２）の輻輳状態および輻輳状態の程度を検出する検出手段（３１０）と、
移動端末（１１〜１５）における受信電力および／またはデータ送受信量を、所定の測定および報告に関する条件の下で測定し且つ測定結果を無線制御装置（３１、３２）に対して報告するように、移動端末（１１〜１５）に指示する測定／報告指示手段（３４０）とを備え、
検出手段（３１０）によって輻輳状態が検出されたとき、測定／報告指示手段（３４０）は、輻輳状態の程度に応じて、前記測定および報告に関する条件を変更し、変更された条件の下で測定し且つ測定結果を無線制御装置（３１、３２）に対して報告するように、移動端末（１１〜１５）に指示することを特徴とする移動体無線通信システム。
【請求項４】
基地局（２１〜２４）を介して移動端末（１１〜１５）に提供される基本通信サービスと基本通信サービス以外の特別通信サービスとを含む通信サービスのための無線リソースを管理し、且つ基地局（２１〜２４）を制御する、無線制御装置（３１、３２）であって、
輻輳状態および輻輳状態の程度を検出する検出手段（３１０）と、
検出手段（３１０）によって輻輳状態が検出されたとき、輻輳状態の程度に応じて、移動端末（１１〜１５）へ提供される特別通信サービスの少なくとも一部を一時的に停止する、または移動端末（１１〜１５）へ提供される特別通信サービスの少なくとも一部の品質を低下させる特別通信サービスの変更手段（３２０）とを備えることを特徴とする無線制御装置。
【請求項５】
特別通信サービスの変更通知手段（３３０）をさらに備え、該特別通信サービスの変更通知手段（３３０）は、特別通信サービスの変更手段（３２０）によって、移動端末（１１〜１５）へ提供される特別通信サービスの少なくとも一部が一時的に停止されていること、または移動端末（１１〜１５）へ提供される特別通信サービスの少なくとも一部の品質が低下されていることを、基地局（２１〜２４）を介して移動端末（１１〜１５）へ通知することを特徴とする請求項４に記載の無線制御装置。
【請求項６】
基地局（２１〜２４）を介して移動端末（１１〜１５）に提供される基本通信サービスと基本通信サービス以外の特別通信サービスとを含む通信サービスのための無線リソースを管理し、且つ基地局（２１〜２４）を制御する、無線制御装置（３１、３２）であって、
輻輳状態および輻輳状態の程度を検出する検出手段（３１０）と、
移動端末（１１〜１５）における受信電力および／またはデータ送受信量を、所定の測定および報告に関する条件の下で測定し且つ測定結果を報告するように、移動端末（１１〜１５）に指示する測定／報告指示手段（３４０）とを備え、
検出手段（３１０）によって輻輳状態が検出されたとき、測定／報告指示手段（３４０）は、輻輳状態の程度に応じて、前記測定および報告に関する条件を変更し、変更された条件の下で測定し且つ測定結果を報告するように、移動端末（１１〜１５）に指示することを特徴とする無線制御装置。
【請求項７】
基地局（２１〜２４）を介して基本通信サービスと基本通信サービス以外の特別通信サービスとを含む通信サービスが提供される移動端末（１１〜１５）であって、
所定の条件下で受信電力および／またはデータ送受信量を測定し、基地局（２１〜２４）を介して無線制御装置（３１、３２）に測定結果を報告する測定／報告手段を備え、
無線制御装置（３１、３２）の輻輳状態に起因して前記所定の条件が変更されたときに、前記測定／報告手段が、変更された条件下で受信電力および／またはデータ送受信量を測定し且つ報告することを特徴とする移動端末。
【発明の詳細な説明】
【技術分野】
【０００１】
本発明は、無線制御装置の輻輳状態時に、輻輳状態の程度に応じて、提供する特別通信サービスの内容を変更することによって、または移動端末が行う所定の測定および報告に関する条件を変更することによって、無線制御装置の負荷を軽減する移動体無線通信システム、ならびにそのような移動体無線通信システムに関連する無線制御装置および移動端末に関する。
【背景技術】
【０００２】
図１に、移動体無線通信システムの構成の一例を模式的に示す。図１に示される移動体無線通信システムには、移動端末１１〜１５と、基地局２１〜２４と、無線制御装置３１、３２と、コアネットワーク４１とが含まれる。移動端末１１〜１５は、携帯電話などである。基地局２１〜２４は、担当する地理的な範囲である１つまたは複数のセル内に存在する移動端末１１〜１５と無線通信を行う。移動端末１１〜１５は、同時に複数のセルと無線リンクを介して通信を行うことができる。図１の例では、移動端末１３は、基地局２２および基地局２３と通信を行うことができる様子が示されている。無線制御装置３１、３２は、基地局２１〜２４を介して移動端末１１〜１５に提供される通信サービスのための無線リソースを管理し、且つ複数の基地局２１〜２４を制御する。コアネットワーク４１は、無線制御装置３１と無線制御装置３２との間に接続される交換機ネットワークである。
【０００３】
移動端末１１〜１５の加入者に対して提供される通信サービスには、基本通信サービスと、基本通信サービス以外の特別通信サービスとが含まれる。基本通信サービスは、通常の通話、メールの送受信などの通信サービスである。特別通信サービスには、例えば、フレキシブルレート変更サービス、またはプリエンプションサービスなどが含まれる。フレキシブルレート変更サービスは、送受信データ量に応じた適切な無線リソース割り当てに基づく伝送レートの変更機能サービスである。また、プリエンプションサービスは、より優先度の高い加入者を受け入れるために、既存の優先度の低い呼の伝送レートの変更を実施するサービスである。
【０００４】
無線制御装置３１、３２は、基地局２１〜２４を介して移動端末１１〜１５に提供される複数の通信サービスのための無線リソースを管理するために、移動端末１１〜１５に対して複数の測定を実行させる。これらの測定には、移動端末１１〜１５が接続されるセルからの受信電力の測定、および移動端末が接続されるセルとの間で送受信するデータ量の測定などが含まれる。
【０００５】
移動端末１１〜１５が接続されるセルからの受信電力の測定によって、移動端末１１〜１５の無線状態が把握される。このように測定された移動端末１１〜１５の無線状態に基づいて、より適切なセルへのソフトハンドオーバを実行する、または無効な無線リンクを削除するなど、移動端末単位の最適な無線リンク構成を決定することができる。この受信電力の測定および測定結果の報告は、例えば以下のように行われる。移動端末１１〜１５において接続されるセルからの受信電力が、ある一定の閾値を上回る場合または下回る場合に、その報告が、移動端末１１〜１５から無線制御装置３１〜３２へ行われる。または、無線制御装置３１、３２が、基地局２１〜２４を介して移動端末１１〜１５へ所定の条件に基づく受信電力の測定を指示し、指示された移動端末１１〜１５が、測定を行って測定結果を無線制御装置３１、３２へ報告する。
【０００６】
また、移動端末１１〜１５が接続されるセルとの間の測定された送受信データ量に基づいて、無線制御装置３１、３２は、移動端末１１〜１５に最適な無線リソースを割り当てることができる。この送受信データ量の測定は、例えば以下のように行われる。無線制御装置３１、３２が、基地局２を介して移動端末１１〜１５へ所定の条件に基づく送受信データ量の測定を指示し、指示された移動端末１１〜１５が、測定を行い且つ測定結果を無線制御装置３１、３２へ報告する。
【０００７】
無線制御装置３１、３２は、より最適な通信状況を迅速に達成するために、これら複数の測定を同時に移動端末１１〜１５に実行させている。無線制御装置３１、３２は、移動端末１１〜１５が実行すべき受信電力または送受信データ量などの測定項目を毎回選択し且つ更新して、移動端末１１〜１５に指示している。
【０００８】
このように、無線制御装置３１、３２は、基地局２１〜２４を介して移動端末１１〜１５に提供される通信サービスのための無線リソースを管理する機能と、移動端末１１〜１５によって測定され報告された測定結果に基づく、ハンドオーバ処理等を含む基地局２１〜２４を制御する機能とを含む様々な機能を実行する。
【発明の開示】
【発明が解決しようとする課題】
【０００９】
上述のような移動体無線通信システムにおいて、無線制御装置に輻輳状態が発生した場合には、従来は、移動端末からの新規な通信サービスの要求を拒否するなどの処置によって、そのような輻輳状態が緩和することを待っていた。そのため、無線制御装置に輻輳状態が発生すると、多くの移動端末（加入者）に対して、通信サービスを提供することができなくなっていた。
【００１０】
本発明は、無線制御装置に輻輳状態が発生した場合であっても、可能な限り多くの移動端末を収容して基本通信サービスを提供することができる、移動体無線通信システム、ならびにそのような移動体無線通信システムに関連する無線制御装置および移動端末を提供することを目的とする。
【課題を解決するための手段】
【００１１】
請求項１に係る発明によれば、輻輳状態時の無線制御装置の負荷を軽減する移動体無線通信システムであって、移動体無線通信システムが、
基本通信サービスと基本通信サービス以外の特別通信サービスとを含む通信サービスが提供される移動端末と、移動端末と無線通信を行う基地局と、基地局を介して移動端末に提供される通信サービスのための無線リソースを管理し且つ基地局を制御する無線制御装置と、無線制御装置間に接続される交換機ネットワークであるコアネットワークとを備え、
無線制御装置が、
無線制御装置の輻輳状態および輻輳状態の程度を検出する検出手段と、
検出手段によって輻輳状態が検出されたとき、輻輳状態の程度に応じて、移動端末へ提供される特別通信サービスの少なくとも一部を一時的に停止する、または移動端末へ提供される特別通信サービスの少なくとも一部の品質を低下させる特別通信サービスの変更手段とを備えることを特徴とする。
【００１２】
このような構成を有することによって、無線制御装置の輻輳状態が検出される場合には、特別通信サービスの変更手段によって、輻輳状態の程度に応じた処置がとられる。例えば、輻輳状態の程度が低い場合には、特別通信サービスの少なくとも一部の品質を低下させ、一方、輻輳状態の程度が高い場合には、特別通信サービスの少なくとも一部そのものを一時的に停止する。このような処置によって使用可能になった無線制御装置の処理能力を、基本通信サービスの提供に関係する処理に充てることにより、可能な限り多くの移動端末に対して基本通信サービスを提供するという課題を解決することができる。
【００１３】
請求項２に係る発明によれば、無線制御装置が、特別通信サービスの変更通知手段をさらに備え、該特別通信サービスの変更通知手段は、特別通信サービスの変更手段によって、移動端末へ提供される特別通信サービスの少なくとも一部が一時的に停止されていること、または移動端末へ提供される特別通信サービスの少なくとも一部の品質が低下されていることを、基地局を介して移動端末へ通知することを特徴とする。
【００１４】
このような構成を有することによって、移動端末の加入者は、特別通信サービスの内容が変更されていることを通知される。通常のサービス内容の特別通信サービスを受けることを希望する移動端末の加入者は、現在接続されているセルを離れ、輻輳状態にはなっていない他の無線制御装置が制御している基地局のセルに移動して、通常のサービス内容の特別通信サービスを受けることができる。
【００１５】
請求項３に係る発明によれば、輻輳状態時の無線制御装置の負荷を軽減する移動体無線通信システムであって、移動体無線通信システムが、
基本通信サービスと基本通信サービス以外の特別通信サービスとを含む通信サービスが提供される移動端末と、移動端末と無線通信を行う基地局と、基地局を介して移動端末に提供される通信サービスのための無線リソースを管理し且つ基地局を制御する無線制御装置と、無線制御装置間に接続される交換機ネットワークであるコアネットワークとを備え、
無線制御装置が、
無線制御装置の輻輳状態および輻輳状態の程度を検出する検出手段と、
移動端末における受信電力および／またはデータ送受信量を、所定の測定および報告に関する条件の下で測定し且つ測定結果を無線制御装置に対して報告するように、移動端末に指示する測定／報告指示手段とを備え、
検出手段によって輻輳状態が検出されたとき、測定／報告指示手段は、輻輳状態の程度に応じて、測定および報告に関する条件を変更し、変更された条件の下で測定し且つ測定結果を無線制御装置に対して報告するように、移動端末に指示することを特徴とする。
【００１６】
このような構成を有することによって、無線制御装置の輻輳状態が検出される場合には、測定／報告指示手段によって、輻輳状態の程度に応じた処置がとられる。例えば、輻輳状態の程度が低い場合には、移動端末が受信電力を報告する条件を厳しくして、移動端末からの受信電力の報告頻度を少なくし、輻輳状態の程度があまり低くない場合には、移動端末が受信電力の監視を行う対象のセルそのものの数を減らして、移動端末からの受信電力の報告頻度を少なくし、輻輳状態の程度が高い場合には、移動端末への隣接セル情報の通知数を低減して、ソフトハンドオーバの際の隣接セル情報の編集処理の負荷を軽減する、あるいは移動端末が行う送受信データの測定およびその測定結果の報告を停止するなどである。このような処置によって使用可能になった無線制御装置の処理能力を、基本通信サービスの提供のための処理に充てることにより、可能な限り多くの移動端末に対して基本通信サービスを提供するという課題を解決することができる。
【００１７】
請求項４に係る発明によれば、基地局を介して移動端末に提供される基本通信サービスと基本通信サービス以外の特別通信サービスとを含む通信サービスのための無線リソースを管理し、且つ基地局を制御する、無線制御装置であって、
輻輳状態および輻輳状態の程度を検出する検出手段と、
検出手段によって輻輳状態が検出されたとき、輻輳状態の程度に応じて、移動端末へ提供される特別通信サービスの少なくとも一部を一時的に停止する、または移動端末へ提供される特別通信サービスの少なくとも一部の品質を低下させる特別通信サービスの変更手段とを備えることを特徴とする。
【００１８】
このような構成を有することによって、輻輳状態が検出される場合には、特別通信サービスの変更手段によって、輻輳状態の程度に応じた処置がとられる。例えば、輻輳状態の程度が低い場合には、特別通信サービスの少なくとも一部の品質を低下させ、一方、輻輳状態の程度が高い場合には、特別通信サービスの少なくとも一部自体を一時的に停止する。このような処置によって使用可能になった処理能力を、基本通信サービスの提供に関係する処理に充てることにより、可能な限り多くの移動端末に対して基本通信サービスを提供するという課題を解決することができる。
【００１９】
請求項５に係る発明によれば、特別通信サービスの変更通知手段をさらに備え、該特別通信サービスの変更通知手段は、特別通信サービスの変更手段によって、移動端末へ提供される特別通信サービスの少なくとも一部が一時的に停止されていること、または移動端末へ提供される特別通信サービスの少なくとも一部の品質が低下されていることを、基地局を介して移動端末へ通知することを特徴とする。
【００２０】
このような構成を有することによって、移動端末の加入者は、特別通信サービスの内容が変更されていることを通知される。通常のサービス内容の特別通信サービスを受けることを希望する移動端末の加入者は、現在接続されているセルを離れ、輻輳状態にはなっていない他の無線制御装置が制御している基地局のセルに移動して、通常のサービス内容の特別通信サービスを受けることができる。
【００２１】
請求項６に係る発明によれば、基地局を介して移動端末に提供される基本通信サービスと基本通信サービス以外の特別通信サービスとを含む通信サービスのための無線リソースを管理し、且つ基地局を制御する、無線制御装置であって、
輻輳状態および輻輳状態の程度を検出する検出手段と、
移動端末における受信電力および／またはデータ送受信量を、所定の測定および報告に関する条件の下で測定し且つ測定結果を報告するように、移動端末に指示する測定／報告指示手段とを備え、
検出手段によって輻輳状態が検出されたとき、測定／報告指示手段は、輻輳状態の程度に応じて、測定および報告に関する条件を変更し、変更された条件の下で測定し且つ測定結果を報告するように、移動端末に指示することを特徴とする。
【００２２】
このような構成を有することによって、輻輳状態が検出される場合には、測定／報告指示手段によって、輻輳状態の程度に応じた処置がとられる。例えば、輻輳状態の程度が低い場合には、移動端末が受信電力を報告する条件を厳しくして、移動端末からの受信電力の報告頻度を少なくし、輻輳状態の程度があまり低くない場合には、移動端末が受信電力の監視を行う対象のセル自体の数を減らして、移動端末からの受信電力の報告頻度を少なくし、輻輳状態の程度が高い場合には、移動端末への隣接セル情報の通知数を低減して、ソフトハンドオーバの際の隣接セル情報の編集処理の負荷を軽減する、あるいは移動端末が行う送受信データの測定およびその測定結果の報告を停止するなどである。このような処置によって使用可能になった無線制御装置の処理能力を、基本通信サービスの提供のための処理に充てることにより、可能な限り多くの移動端末に対して基本通信サービスを提供するという課題を解決することができる。
【００２３】
請求項７に係る発明によれば、基地局を介して基本通信サービスと基本通信サービス以外の特別通信サービスとを含む通信サービスが提供される移動端末であって、
所定の条件下で受信電力および／またはデータ送受信量を測定し、基地局を介して無線制御装置に測定結果を報告する測定／報告手段を備え、
無線制御装置の輻輳状態に起因して所定の条件が変更されたときには、測定／報告手段が、変更された条件下で受信電力および／またはデータ送受信量を測定し且つ報告することを特徴とする。
【００２４】
このような構成を有することによって、輻輳状態に起因して変更された条件下で、移動端末によって測定され且つ報告される測定結果を処理する無線制御装置は、その処理に関わる負荷が軽減される。このような処置によって使用可能になった無線制御装置の処理能力を、基本通信サービスの提供のための処理に充てることにより、可能な限り多くの移動端末に対して基本通信サービスを提供するという課題を解決することができる。
【００２５】
以下、図面を参照して本発明の好ましい実施形態の例を記載する。
【発明を実施するための最良の形態】
【００２６】
本発明が実施される移動体無線通信システムは、図１に示される構成を有し、移動端末１１〜１５、基地局２１〜２４、無線制御装置３１、３２、およびコアネットワーク４１が含まれる。ここで、無線制御装置３１は、基地局２１および基地局２２に接続され、無線制御装置３２は、基地局２３および基地局２４に接続される。さらに、基地局２１は、移動端末１１および移動端末１２と無線通信し、基地局２２は、移動端末１３と無線通信し、基地局２３は、移動端末１３および移動端末１４と無線通信し、基地局２４は、移動端末１５と無線通信する。
【００２７】
移動端末１１〜１５は、図２に示されるように、それぞれ通知手段１１０および測定／報告手段１２０を備える。通知手段１１０は、無線制御装置（３１、３２）の輻輳状態に起因して特別通信サービスの内容が変更されていることを移動端末（１１〜１５）の加入者に通知する手段であり、例えば、画面上に表示することによって加入者に通知する、または音響を発することによって加入者に通知するなどである。測定／報告手段１２０は、所定の条件下で受信電力および／またはデータ送受信量を測定し、基地局（２１〜２４）を介して無線制御装置（３１、３２）に測定結果を報告する。
【００２８】
無線制御装置３１、３２は、図３に示されるように、それぞれ、検出手段３１０、特別通信サービスの変更手段３２０、特別通信サービスの変更通知手段３３０、および測定／報告指示手段３４０を備えることができる。
【００２９】
検出手段３１０は、無線制御装置３１、３２の輻輳状態およびその輻輳状態の程度を、所定の時間間隔で検出して、接続される特別通信サービスの変更手段３２０および測定／報告指示手段３４０に通知する。
【００３０】
ここで、無線制御装置３１が輻輳状態になった場合の例を仮定する。
【００３１】
特別通信サービスの変更手段３２０は、検出手段３１０から無線制御装置３１の輻輳状態が検出されたことおよびその輻輳状態の程度が通知されると、輻輳状態の程度に応じた処置を行う。例えば、輻輳状態の程度が低い場合には、移動端末１１〜１３へ提供される特別通信サービスの少なくとも一部の品質を低下させ、一方、輻輳状態の程度が高い場合には、特別通信サービスの少なくとも一部自体を一時的に停止する。
【００３２】
所定の時間間隔で検出される輻輳状態の程度の変化に基づいて、特別通信サービスの変更手段３２０は、特別通信サービスの変更内容を変えることができる。例えば、特別通信サービスを変更した時点では輻輳状態の程度が低く、移動端末１１〜１３へ提供される特別通信サービスの少なくとも一部の品質を低下させた後に、輻輳状態の程度がさらに悪化するなら、移動端末１１〜１３へ提供される特別通信サービスの少なくとも一部を一時的に停止する他の変更内容に移行することができる。あるいは、移動端末１１〜１３へ提供される特別通信サービスの少なくとも一部を一時的に停止させ、または特別通信サービスの少なくとも一部の品質を低下させた後、所定の期間にわたって輻輳状態が検出されないなら、特別通信サービスに対するこれらの変更を停止して、通常内容の特別通信サービスの提供に戻ることができる。特別通信サービスには、例えば前述のような、フレキシブルレート変更サービスまたはプリエンプションサービスなどを含む、様々な通信サービスが可能である。
【００３３】
このような処置によって使用可能になった無線制御装置の処理能力を、基本通信サービスの提供に関係する処理に充てることにより、可能な限り多くの移動端末に対して基本通信サービスを提供することができる。
【００３４】
特別通信サービスの変更通知手段３３０は、特別通信サービスの変更手段３２０に接続され、無線制御装置３１の輻輳状態に起因して、移動端末１１〜１３へ提供される特別通信サービスの内容が変更されたことを、基地局２１、２２を介して移動端末１１〜１３の通知手段１１０に、例えば報知情報を用いて通知する。通常のサービス内容の特別通信サービスを受けることを希望する移動端末１１〜１３の加入者は、現在接続されているセルを離れ、輻輳状態にはなっていない他の無線制御装置３２が制御している基地局２３〜２４のセルに移動して、通常のサービス内容の特別通信サービスを受けることもできる。さらに、通常のサービス内容の特別通信サービスを受けることを希望する移動端末の加入者が、輻輳状態の無線制御装置が制御している基地局のセルを離れることによっても、無線制御装置の輻輳状態が軽減されることが期待される。
【００３５】
測定／報告指示手段３４０は、検出手段３１０から無線制御装置３１の輻輳状態およびその輻輳状態の程度を通知されると、輻輳状態の程度に応じて、測定および報告に関する条件を変更して、その変更された条件を、移動端末１１〜１５の測定／報告手段１２０に指示する。
【００３６】
図４に、測定／報告指示手段３４０が行う、輻輳状態の程度に応じた、測定および報告に関する条件変更の一例を示す流れ図を示す。
【００３７】
まず、ステップＳ１で、測定／報告指示手段３４０は、検出手段３１０から、無線制御装置３１の輻輳状態およびその輻輳状態の程度を通知される。
【００３８】
ステップＳ２で、測定／報告指示手段３４０は、通知された輻輳状態の程度に応じて、変更すべき測定および報告に関する条件を決定する。
【００３９】
ステップＳ３１〜Ｓ３４で、測定／報告指示手段３４０、変更された測定および報告に関する条件を移動端末１１〜１３の測定／報告手段１２０に指示する。図４に示される例では、輻輳状態の程度に応じて移動端末１１〜１３へ指示される変更された条件は、輻輳状態の程度が低い順に、Ｓ３１、Ｓ３２、Ｓ３３、およびＳ３４の４つの種類がある。
【００４０】
Ｓ３１は、ソフトハンドオーバのトリガとなる、移動端末１１〜１３が受信するセルからの受信電力を報告する条件を厳しくして、移動端末１１〜１３から無線制御装置３１への受信電力の測定結果の報告頻度を少なくする。これによって、移動端末１１〜１３から報告される受信電力の測定結果に伴う無線制御装置３１の負荷を軽減する。具体的には、以下を含む様々な変更が考えられる。移動端末１１〜１３が接続されるセルから受信する電力が、ある一定の閾値を下回る場合に、その報告が移動端末１１〜１３から無線制御装置３１へ行われるときには、その閾値をより低い値に変更する。一方、移動端末１１〜１３が接続されるセルから受信する電力が、ある一定の閾値を上回る場合に、その報告が移動端末１１〜１３から無線制御装置３１へ行われるときには、その閾値をより高い値に変更する。または、一定の時間間隔で、移動端末１１〜１３が接続されるセルから受信する電力の報告が、移動端末１１〜１３から無線制御装置３１へ行われるときには、その時間間隔をより長く変更する。
【００４１】
Ｓ３２は、移動端末１１〜１３によってソフトハンドオーバのために周辺セルとして認識され、受信電力の監視を行っているセルの数を低減する。これによって、受信電力を測定する対象となるセルの数そのものが低減されるので、Ｓ３１と同様に、移動端末１１〜１３から報告される受信電力の報告頻度が低減し、測定結果に伴う無線制御装置３１の負荷を軽減する。
【００４２】
Ｓ３３は、ソフトハンドオーバのために、移動端末１１〜１３への隣接セル情報の通知数を低減する。これによって、無線制御装置３１が、ソフトハンドオーバを実施する毎に行っている隣接セル情報の編集処理の負荷が軽減される。
【００４３】
Ｓ３４は、送受信データ量に応じた適切なリソース割り当てに基づく伝送レートの変更機能を停止して、移動端末１１〜１３が行う送受信データ量の測定、およびその測定結果の無線制御装置３１への報告を無くす。これによって、無線制御装置３１が、移動端末１１〜１３へ対する送受信データ量の測定の指示、および送受信データ量の測定結果に基づく適切な無線リソース割り当てに基づく伝送レートの変更に伴う処理負荷が軽減される。
【００４４】
ステップＳ４で、ステップＳ３１〜Ｓ３４で決定された測定および報告に関する条件が変更された後で、無線制御装置３１の輻輳状態およびその輻輳状態の程度が、所定の時間期間後に再び検出手段３１０から通知されるかどうかが監視される。輻輳状態が検出されない場合には、ステップＳ５へ進み処理は終了する。再び輻輳状態が検出される場合には、ステップＳ２へ戻り、再度輻輳状態の程度に応じて、変更すべき測定および報告に関する条件を決定する。
【００４５】
このように、無線制御装置３１の輻輳状態が検出されなくなるまで、測定および報告に関する条件変更を輻輳状態の程度に応じて行う。なお、図４に示された測定および報告に関する条件変更以外に、様々な条件変更が可能である。
【００４６】
以上のように、本発明によって、無線制御装置に輻輳状態が発生した場合であっても、可能な限り多くの移動端末を収容して基本通信サービスを提供することができる、移動体無線通信システム、ならびにそのような移動体無線通信システムに関連する無線制御装置および移動端末を提供することができる。
【図面の簡単な説明】
【００４７】
【図１】移動体無線通信システムの構成の一例を模式的に示す。
【図２】移動端末の構成の一例を示す。
【図３】無線制御装置の構成の一例を示す。
【図４】輻輳状態の程度に応じた、測定および報告に関する条件変更の一例を示す。
【符号の説明】
【００４８】
１１、１２、１３、１４、１５  移動端末
２１、２２、２３、２４  基地局
３１、３２  無線制御装置
４１  コアネットワーク
１１０  通知手段
１２０  測定／報告手段
３１０  検出手段
３２０  特別通信サービスの変更手段
３３０  特別通信サービスの変更通知手段
３４０  測定／報告指示手段
【図１】
2008028431.tif 000003
【図２】
2008028431.tif 000004
【図３】
2008028431.tif 000005
【図４】
2008028431.tif 000006